(57)【要約】【課題】リフォーム後、年月が経過しても古い床から剥がれず、しかもリフォーム後における床の上昇が少ないリフォーム用床材、リフォーム用床材の施工方法及びリフォーム床構造を提供する。【解決手段】リフォーム用床材の基材部分を上側床材と下側床材に半裂し、上側床材と下側床材の対向する半裂面を研磨機でそれぞれ研磨し、上側床材に表面材を積層し、下側床材を古い床の上に積層被覆して釘で機械的に固定し、上側床材を両面テープ及び／又は接着剤で下側床材に接着固定する。リフォーム用床材はリフォーム後の床の上昇が少ないので、古い床と下側床材の間に床暖房用の発熱シートを挟んでもよい。【選択図】図１
2011084931.tif 000002
【特許請求の範囲】
【請求項１】
古い床の上に積層されて釘で固定される下側床材と、該下側床材の上に積層されて両面テープ及び／又は接着剤で固定される上側床材と、該上側床材の表面を保護している表面材とを備え、該表面材は該上側床材に一体的に積層形成されていることを特徴とするリフォーム用床材。
【請求項２】
前記下側床材が床暖房用の発熱シートと略同じ大きさと形状を有しており、該下側床材と該発熱シートを重ねたときに、該発熱シートの通電部以外の領域が該下側床材と重なる、そのような領域が該下側床材の一方の面に図示されていることを特徴とする請求項１に記載のリフォーム用床材。
【請求項３】
古い床の上に下側床材を積層被覆して釘で固定する工程と、上側床材の裏面に両面テープ及び／又は接着剤を被覆（塗布）する工程と、該上側床材を該下側床材の上に貼り付ける工程とを備えたことを特徴とするリフォーム用床材の施工方法。
【請求項４】
古い床の上に床暖房用の発熱シートを載せ、該発熱シートの上に前記下側床材を載せ、該下側床材を該発熱シートとともに釘で古い床に固定することを特徴とする請求項３に記載のリフォーム用床材の施工方法。
【請求項５】
前記下側床材が床暖房用の発熱シートと略同じ大きさと形状を有しており、該下側床材と該発熱シートを重ねたときに、該発熱シートの通電部以外の領域が該下側床材と重なる、そのような領域が該下側床材の一方の面に図示されていることを特徴とする請求項４に記載のリフォーム床構造。
【請求項６】
古い床の上に積層被覆して釘で固定された下側床材と、該下側床材の上に両面テープ及び／又は接着剤で積層固定された上側床材と、該上側床材の表面に一体的に積層形成された表面材とからなることを特徴とするリフォーム床構造。
【請求項７】
古い床と前記下側床材との間に床暖房用の発熱シートを挟んでなることを特徴とする請求項６に記載のリフォーム床構造。
【請求項８】
前記下側床材が床暖房用の発熱シートと略同じ大きさと形状を有しており、該下側床材と該発熱シートを重ねたときに、該発熱シートの通電部以外の領域が該下側床材と重なる、そのような領域が該下側床材の一方の面に図示されていることを特徴とする請求項７に記載のリフォーム床構造。
【発明の詳細な説明】
【技術分野】
【０００１】
本発明は、住宅、マンション又はオフィス内において古くなった床をリフォームする際に使用するリフォーム用床材、リフォーム用床材の施工方法及びリフォーム床構造に関するものである。
【背景技術】
【０００２】
住宅、マンション又はオフィス内は、長い年月に亘って使用していると、使用者によって傷付いたり、汚れたりし、また劣化してくる。そして、傷や汚れや劣化が目にあまる場合や、新しい入居者が住宅、マンション又はオフィスに入居する場合に、壁や床のリフォームが行われることが多い。
【０００３】
床のリフォームは、かつては、床材を床下地から全て剥がし、新たな床材を床下地の上に張り直す方法によって行われていた。しかし、この方法による床のリフォームは、床材を床下地から全て剥がすので、工事が大がかりになり、費用がかなりかかるのみならず、大量の床材が廃材として廃出され、その処分にかなりのコストがかかり、また環境にも悪いという問題があった。
【０００４】
そこで、最近は、古い床材を床下地から剥がさず、古い床材の上に新たな床材を接着剤や両面テープで貼る簡易なリフォーム方法が提案されている。そして、この方法に使用するリフォーム用の床材が多くのメーカーから種々提案されている。
【０００５】
しかし、これら提案されているリフォーム用の床材は、古い床材の表面の汚れや床材の歪み又は床材の劣化状況との関係が十分に考慮されていないので、これらのリフォーム用の床材を使用して古い床を被覆してリフォームした場合、時間の経過とともに、古い床からリフォーム用の床材が剥がれて浮き上がり、床がふかふかしたり、床鳴りを生ずるようになるという問題があった。
【０００６】
また、多くのメーカーから提案されているリフォーム用の床材は、厚さが１２ｍｍ程度と普通の床材と同程度の厚さがあり、これを古い床の上に被覆すると、床全体がリフォーム用の床材の厚さの分だけ少し高くなり、種々の不都合が生じるという問題があった。
【０００７】
すなわち、これらリフォーム用の床材を使用して床をリフォームした場合、床の高さが高くなり、廊下や隣室との境に設けられている旋回式のドアの下部が床に当たってドアが開かなくなるので、そのような場合はドアの下部が床に当たらないように、ドアを少し上に取り付け直さなければならないという問題があった。
【０００８】
また、リフォームをする場合、費用その他の事情から全ての部屋の床や廊下を同時にリフォームできるとは限らず、隣の部屋の床や廊下をリフォームしない場合がある。そして、そのような場合、リフォームした部屋の床と隣の部屋の床や廊下との境に段差ができ、この段差が足に引っかかって生活し難くなるという問題もあった。
【０００９】
また、床をリフォームする部屋の隣が畳の部屋の場合、床をリフォームすると畳の部屋の敷居が床の高さと比べて相対的に低くなり、隣のフローリングの部屋との境に段差ができ、この段差が足に引っかかって生活し難くなるという問題があった。
【００１０】
更に、上記リフォーム用の床材を使用する場合、特定の部屋の床だけをリフォームすると上述したような種々の問題があるので、特定の部屋の床だけを個別にリフォームし難いという問題があった。
【先行技術文献】
【特許文献】
【００１１】
【特許文献１】特開２００３−２２７２２９号公報
【特許文献２】特開２００３−１７６６１８号公報
【特許文献３】特開２００３−３６４７号公報
【特許文献４】特開２００２−３４９０４７号公報
【発明の概要】
【発明が解決しようとする課題】
【００１２】
本発明は、長い年月が経過しても古い床から剥がれず、しかも特定の部屋の床だけを個別にリフォームし易い簡便なリフォーム用床材を提供することを課題とする。
【課題を解決するための手段】
【００１３】
本発明者はかかる課題を解決するために鋭意研究をし、リフォーム用の床材を上側床材と下側床材の２枚で作り、古い床の上にまずこの下側床材を敷き詰め、この下側床材を古い床に釘（タッカー）で固定し、釘で固定したこの下側床材の上に上側床材を接着剤や両面テープで接着固定させることで、古い床の上に強固に固定された新しい床が形成できると考えた。
【００１４】
また、本発明者は、リフォーム用の床材をできる限り薄く作り、リフォームされた床の高さが高くなることをできる限り押さえることにより、特定の部屋の床だけを個別にリフォームすることが容易になると考えた。
【００１５】
すなわち、本発明に係るリフォーム用の床材は、古い床の上に積層されて釘で固定される下側床材と、該下側床材の上に積層されて両面テープ及び／又は接着剤で固定される上側床材と、該上側床材の表面を保護している表面材とを備え、該表面材は該上側床材に一体的に積層形成されていることを特徴とする。
【００１６】
なお、前記上側床材と前記下側床材の対向面はいずれも研磨されていることが好ましい。
また、前記上側床材及び前記下側床材は加工し易さやコストの面からＭＤＦ (medium density fiberboard)で形成するのが好ましい。また、前記上側床材の厚さ及び前記下側床材の厚さの合計は２〜３ｍｍ程度であることが好ましい。
【００１７】
また、本発明に係るリフォーム用の床材は、３ｍｍ程度の板材（ＭＤＦ）を機械で厚さ方向に半裂し、得られた半裂板材の各半裂面を研磨機械で研磨して厚さ１ｍｍ程度とし、一方の半裂板材に表面材を一体的に積層して上側床材とし、他方の半裂板材（半裂して研磨しただけで、表面材を積層しなかった方）を下側床材とすることにより製造することができる。
【００１８】
また、本発明に係る床材の施工法は、リフォームすべき床の上に下側床材を敷き詰め、下側床材を釘（タッカー）でリフォームすべき床に固定し、該上側床材の裏面に両面テープ及び／又は接着剤を被覆（塗布）し、この上側床材を下側床材の上に敷き詰めるように貼り付けものである。
【００１９】
また、本発明に係るリフォーム床構造は、古い床の上に積層被覆して釘で固定された下側床材と、該下側床材の上に両面テープ及び／又は接着剤で積層固定された上側床材と、該上側床材の表面に一体的に積層形成された表面材とからなることを特徴とするものである。
【００２０】
なお、本発明に係るリフォーム用床材は従来のリフォーム用床材と比べてかなり薄く、床暖房用の発熱シートを挟んでも床があまり高くならないので、古い床と前記下側シートの間に床暖房用の発熱シートを挟んで床暖房の工事を一緒にしてもよい。
【００２１】
床暖房の工事を一緒にする場合は、下側床材を床暖房用の発熱シートと略同じ大きさと形状とし、下側床材と発熱シートを重ねたときに、発熱シートの通電部以外の領域が重なる領域を下側床材の一方の面（床に敷いたときに上になる面）に図示させ、この図示させた領域に釘を打つように表示させておくと、下側床材を発熱シートとともに古い床に釘で固定する際に、発熱シートの通電領域に釘を打ち込まなくて済む。
【発明の効果】
【００２２】
本発明のリフォーム用床材は、下側床材を釘で古い床に固定するので、下側床材が古い床に強固に固定され、また、下側床材の上面と上側床材の下面が研磨され、異物で汚れていないので、これらの面が両面テープ及び／又は接着剤で強固に連結され、従って、長い年月が経っても、リフォーム用の床材が古い床から剥がれるおそれが無く、床材が浮き上がることによる違和感や床鳴りも生じないという利点がある。
【００２３】
また、本発明のリフォーム用床材は、上側床材と下側基材の厚さの合計が３ｍｍ以下と薄いので、リフォーム後に上昇する床の高さが従来のリフォーム用床材に比べて非常に小さく、床の高さの変化によって受ける違和感が少ないのみならず、ドアの下部を削るような必要性もほとんど無いという利点がある。
【００２４】
また、本発明のリフォーム用床材は、上側床材と下側基材の厚さの合計が３ｍｍ以下と薄いので、リフォーム後に上昇する床の高さが従来のリフォーム用床材に比べて非常に小さく、リフォームしない部屋との間にできる段差が非常に小さく、従って、リフォームしたい部屋だけを個別にリフォームし易いという利点がある。
【００２５】
また、本発明のリフォーム用床材は、床材を剥がす工事がなく、床にリフォーム用の床材を貼るだけなので、床を簡単にリフォームすることができるという利点がある。また、本発明のリフォーム用床材は、古い床の床板を剥がさないので、床板に起因する廃材が全く出ないという利点がある。
【００２６】
また、本発明のリフォーム用床材は、薄く形成されていて、リフォーム後の床の高さがあまり高くならないので、床暖房用の発熱シートをリフォーム用床材と古い床との間に挟む床暖房の工事が一緒にし易いという利点がある。
【図面の簡単な説明】
【００２７】
【図１】図１は本発明に係るリフォーム用床材を使用したリフォーム床構造の説明図である。
【図２】図２は図１のリフォーム床構造の断面図である。
【図３】図３は古い床の上に本発明に係るリフォーム用床材の下側床材を取り付けた状態を示す説明図である。
【図４】図４は本発明に係るリフォーム用床材の上側床材の裏面に両面テープを貼り、両面テープ間に接着剤を塗った状態を示す説明図である。
【図５】図５は本発明に係るリフォーム用床材の端部の保護構造を示す断面図である。
【図６】図６は本発明に係るリフォーム用床材の段差の保護構造を示す断面図である。
【図７】図７は古い床と本発明に係るリフォーム用床材との間に床暖房用の発熱シートを挟んだリフォーム床構造の断面図である。
【図８】図８は床暖房用の発熱シートの平面図である。
【図９】図９は本発明に係るリフォーム用床材の下側床材の一例の平面図である。
【発明を実施するための形態】
【００２８】
古い床の上に被覆したリフォーム用の床材が年月の経過で古い床から剥がれることがない、しかもリフォームしたい部屋の床だけを個別にリフォームし易い、そのようなリフォーム用床材、リフォーム用床材の施工方法及びリフォーム床構造を提供するという目的を、簡単な構成で実現した。
【実施例１】
【００２９】
図１は本発明に係るリフォーム用床材を使用したリフォーム床構造の説明図、図２は図１のリフォーム床構造の断面図であり、これらの図に示すように、本発明に係るリフォーム用床材は、古い床１０の上に積層被覆された下側床材１２と、下側床材１２の上に積層被覆された上側床材１４と、上側床材１４の一方の面（表側の面）に一体的に積層形成された表面材１６とからなる。
【００３０】
下側床材１２と上側床材１４は板状の木質材料、例えばＭＤＦ(medium density fiberboard)によって形成することができるが、釘１８を打つことができ、ある程度の強度を有する材料であれば、これ以外の材料で形成してもよい。表面材１６は硬質の合成樹脂シートからなり、例えば板状の木質材料の一方の面に合成樹脂シートを積層接着させることにより形成させることができる。
【００３１】
下側床材１２と上側床材１４は、厚さ３ｍｍ程度の板材（ＭＤＦ）を機械で厚さ方向に半裂し、得られた半裂板材の各半裂面を研磨機械で研磨して厚さ１ｍｍ程度とし、一方の半裂板材に表面材１６を一体的に積層して上側床材１４とし、他方の半裂板材（半裂して研磨しただけで、表面材１６を積層しなかった方）を下側床材１２とすることにより形成することができる。
【００３２】
次に、このリフォーム用床材の施工方法の一例について図３〜図６を参照しながら説明する。
【００３３】
例えば、まず、図３に示すように、リフォームすべき古い床１０の上に下側床材１２を部屋の中央から両側に向けて順に敷き詰めながら、下側床材１２の各所に釘１８を釘打機でランダムに打ち、下側床材１２を古い床１０の上に固定していく。下側床材１２は多数の釘１８によってリフォームすべき古い床１０の上面に機械的に縫いつけられて、強固に連結固定される。
【００３４】
次に、図４に示すように、上側床材１４の裏面に両面テープ２０を所定間隔で長手方向に貼り、両面テープ２０の間に木工用の接着剤２２を塗布し、この上側床材１４を両面テープ２０及び接着剤２２の側を下にして下側床材１２の上に敷き詰めていく。上側床材１４は両面テープ２０及び接着剤２２によって下側床材１２に強固に連結固定される。
【００３５】
本発明に係るリフォーム用床材は以上のようにして施工するが、リフォーム用床材の端部がきれいに切断されておらずに曲がっていたりすると見栄えが悪いので、リフォーム用床材の端部の見栄えを良くするために、図５に示すような断面形状の保護枠２４を使用して端部を隠してもよい。
【００３６】
また、リフォーム用床材の端部が隣接する部屋又は廊下の床との間で段差になっている場合は、図６に示すような保護枠２６を使用して、リフォーム用床材の端部に足が引っかからないようにしてもよい。
【実施例２】
【００３７】
本発明に係るリフォーム用床材は、基本的には実施例１に示すように施工するが、部屋の中を片付けて、折角、リフォーム工事をするのであるから、図７に示すように、本発明に係るリフォーム用床材と古い床１０との間に発熱シート２８を挟み、床暖房の工事をリフォームと一緒に行うようにしてもよい。
【００３８】
ただ、本発明に係るリフォーム用床材を用いたリフォームでは、下側床材１２を古い床１０に釘１８で縫いつけるので、本発明に係るリフォーム用床材と古い床１０との間に発熱シート２８を挟んだ場合は、発熱シート２８も古い床１０に釘１８で縫いつけられることになる。発熱シート２８は、図８に示すように、通電領域３０を備えていて、ここに釘１８を貫通させると、発熱シート２８を破損してしまうので、釘１８は発熱シート２８の通電領域３０以外の部分（非通電領域３２）を貫通するようにしておかなければならない。
【００３９】
そこで、この実施例では、発熱シート２８と下側床材１２を同じ大きさとし、下側床材１２の上面に、図９に示すように、発熱シート２８の非通電領域３２に対応した釘打領域３４を描き、通電領域３０を避けて釘１８を打つことができるようになっている。釘打領域３４は下側床材１２に予め印刷により描いておいてもよいし、下側床材１２に型を重ね、型に沿って筆記具で描いてもよい。本発明に係るリフォーム用床材は、下側床材１２の上面にこのような釘打領域３４が描かれているので、発熱シート２８を挟んで釘打ちしても、発熱シート２８を破損させなくて済む。
【符号の説明】
【００４０】
１０  古い床
１２  下側床材
１４  上側床材
１６  表面材
１８  釘
２０  両面テープ
２２  接着剤
２４  保護枠
２６  保護枠
２８  発熱シート
３０  通電領域
３２  非通電領域
３４  釘打領域
【図１】
2011084931.tif 000003
【図２】
2011084931.tif 000004
【図３】
2011084931.tif 000005
【図４】
2011084931.tif 000006
【図５】
2011084931.tif 000007
【図６】
2011084931.tif 000008
【図７】
2011084931.tif 000009
【図８】
2011084931.tif 000010
【図９】
2011084931.tif 000011